(57)【要約】【課題】誘電体板に表面処理を施したプラズマ処理装置を提供する。【解決手段】プラズマ処理装置１００は、所望の真空状態にある内部にてプラズマが励起される処理容器１０と、処理容器内にプラズマを励起するためのマイクロ波を供給するマイクロ波源９００と、処理容器１０の内側に面し、マイクロ波源９００から供給されたマイクロ波を処理容器内に伝送させる誘電体板３０５と、を備える。誘電体板３０５の少なくとも真空と大気とを遮断する面は、金属膜３０５ａ（又は金属複合膜）により被覆されている。【選択図】図２
2009301783.tif 000002
【特許請求の範囲】
【請求項１】
所望の真空状態にある内部にてプラズマが励起される処理容器と、
前記処理容器内にプラズマを励起するためのマイクロ波を供給するマイクロ波源と、
前記処理容器の内側に面し、前記マイクロ波源から供給されたマイクロ波を前記処理容器内に伝送させる誘電体板と、を備え、
前記誘電体板の少なくとも真空と大気とを遮断する面は、金属膜又は金属複合膜により被覆されているプラズマ処理装置。
【請求項２】
前記金属膜又は金属複合膜は、前記処理容器と同じ材質である請求項１に記載されたプラズマ処理装置。
【請求項３】
前記金属膜又は金属複合膜は、前記誘電体板表面のうち、マイクロ波を入射及び出射する部分以外を被覆する請求項１又は請求項２のいずれかに記載されたプラズマ処理装置。
【請求項４】
前記金属膜又は金属複合膜は、電気抵抗が３７．７×１０６／ｍΩ以上の金属を含む物質である請求項１〜３のいずれかに記載されたプラズマ処理装置。
【請求項５】
前記金属膜は、アルミニウム、金、銀、銅又はニッケルよりの少なくともいずれかから形成される請求項１〜４のいずれかに記載されたプラズマ処理装置。
【請求項６】
前記金属複合膜は、金属とセラミックス、又は、金属と樹脂から形成される請求項１〜４のいずれかに記載されたプラズマ処理装置。
【請求項７】
前記誘電体板は、前記処理容器の内側に面した状態で、等間隔に複数設けられている請求項１〜６のいずれかに記載されたプラズマ処理装置。
【請求項８】
前記金属膜は、前記誘電体板を溶融した前記金属膜の溶液に浸し、１０ｍｍ／ｓｅｃ以下の速度で引き上げる工程を経て形成される請求項１〜７のいずれかに記載されたプラズマ処理装置。
【請求項９】
前記金属膜の所望の厚さは、１０μｍ〜１００ｍｍの範囲に形成される請求項８に記載されたプラズマ処理装置。
【請求項１０】
マイクロ波源からマイクロ波を出力し、
所望の真空状態にある処理容器の内側に面した誘電体板の少なくとも真空と大気とを遮断する面に金属膜又は金属複合膜を被覆することにより、前記出力されたマイクロ波を前記誘電体板の前記金属膜又は前記金属複合膜内に伝送させ、
前記伝送させたマイクロ波を処理容器内に放出させてプラズマを生成し、
前記生成されたプラズマを用いて被処理体に所望のプラズマ処理を施すプラズマ処理方法。
【発明の詳細な説明】
【技術分野】
【０００１】
本発明は、マイクロ波を用いてプラズマを生成し、被処理体上にプラズマ処理を施すプラズマ処理装置及びプラズマ処理方法に関する。特に、誘電体板の表面処理に関する。
【背景技術】
【０００２】
プラズマを用いて被処理体に成膜処理やエッチング処理を施すプラズマ処理装置の一つとしてマイクロ波プラズマ処理装置が提案されている。この装置で使用されるマイクロ波は、マイクロ波源から出力され、装置の天井面に設けられた誘電体板を透過して処理容器内に放出される。放出されたマイクロ波の電界エネルギーは、ガスを励起するために消費され、これにより低温度かつ高密度なプラズマが生成される。
【０００３】
誘電体板は、処理容器の天井面の開口を閉塞するように設けられ、所望の真空度に保たれた処理容器内を大気から遮断する機能も有する（特許文献１を参照。）。たとえば、特許文献１では、誘電体板にて処理容器の天井部を塞ぐとともに、誘電体板と処理容器（蓋体）との接触面にＯリングを配設することにより、処理容器の内側と外側とを遮断する。これにより、容器内を所望の真空度に保持することができる。
【０００４】
【特許文献１】特開２００８−９１４８９号公報
【発明の開示】
【発明が解決しようとする課題】
【０００５】
しかしながら、たとえば、図５に誘電体近傍を簡略化して示したように、マイクロ波は、方形導波管９００を伝送し、誘電体板９０５を透過して処理容器内に投入される際、誘電体板９０５と蓋体９１０との接触面に設けられたＯリング９１５にも伝播する。このため、Ｏリング９１５には、耐マイクロ波性（たとえば、耐熱性や低誘電正接）が必要であり、一般的には、マイクロ波のエネルギー損失を抑えるために、低誘電正接の特性を有したＯリングとしてエラストマー材質を使用する。
【０００６】
ところが、エラストマー材質にはガス透過性があるため、Ｏリング９１５を介して大気が処理容器内に入り込み、処理容器内の雰囲気の質を低下させ、処理容器内の真空度のコントロールを困難にさせる要因となる。また、エラストマー材質は高価であるためコスト高となる。一方、安価なフッ化ビニリデン系（ＦＫＭ）等のフッ素ゴムでは、エラストマー材質より誘電正接が高いのでマイクロ波のエネルギー損失が大きく、また、熱に弱いのでマイクロ波により加熱されると損傷し、シール材としての機能が低下する。
【０００７】
また、設計時には、隙間のない状態のマイクロ波の伝送効率を考慮してマイクロ波の伝送経路の設計値が予め定められるが、実際には、Ｏリング９１５を配設することにより誘電体板と蓋体との間に０．１ｍｍ以下の隙間が生じる。したがって、プロセス中には、加工上生じてしまった隙間によりマイクロ波の波長とスピードが変化するため、設計値に対して実際のインピーダンスの変化に差異が生じ、プラズマ側からのマイクロ波の反射が大きくなってマイクロ波のエネルギーの供給効率が悪くなる。
【０００８】
上記課題を解消するために、本発明は、誘電体板に表面処理を施したプラズマ処理装置を提供する。
【課題を解決するための手段】
【０００９】
すなわち、上記課題を解決するために、本発明のある態様によれば、所望の真空状態にある内部にてプラズマが励起される処理容器と、前記処理容器内にプラズマを励起するためのマイクロ波を供給するマイクロ波源と、前記処理容器の内側に面し、前記マイクロ波源から供給されたマイクロ波を前記処理容器内に伝送させる誘電体板と、を備え、前記誘電体板の少なくとも真空と大気とを遮断する面は、金属膜又は金属複合膜により被覆されているプラズマ処理装置が提供される。
【００１０】
これによれば、たとえば、図２に示したように、誘電体板の少なくとも真空と大気とを遮断する面は、金属膜３０５ａにより被覆されている。マイクロ波は、導体を透過することができないため、金属膜３０５ａにより被覆された部分については、誘電体板３０５のマイクロ波の伝送経路は、金属膜３０５ａの内部となる。この結果、誘電体板３０５のマイクロ波の伝送経路とＯリング３２５とは、金属膜３０５ａにて遮断される。よって、Ｏリング３２５に耐マイクロ波性を考慮して低誘電正接の特性を有した高価な材料を使う必要がなくなり、安価なＯリングを使用でき、コスト安となる。
【００１１】
また、たとえば、エラストマー材質からフッ素ゴムのＯリングに変えることにより、ガス透過性が改善される。これにより、処理容器内の雰囲気の質を向上させ、容器内の真空度を精度良くコントロールすることができる。
【００１２】
また、金属膜３０５ａにより誘電体板３０５の表面を被覆したことによって誘電体板３０５と蓋体３００との間の隙間がなくなる。よって、実プロセスにおいて設計通りのマイクロ波の伝送が実現できる。これにより、プラズマ側からのマイクロ波の反射を最小限に抑え、プラズマへのエネルギーの供給効率を高めることができる。
【００１３】
前記金属膜又は金属複合膜は、前記処理容器（蓋体）と同じ材質であってもよい。同一材質であれば熱膨張差による歪みが生じず、誘電体板３０５と蓋体３００との密着性を高めることができる。
【００１４】
前記金属膜又は金属複合膜は、前記誘電体板表面のうち、マイクロ波を入射及び出射する部分以外を被覆してもよい。これによれば、金属膜により誘電体板のマイクロ波の伝送経路を画定することができる。これにより、Ｏリングの保護とともにマイクロ波が誘電体板近傍の隙間に入り込んで異常放電が発生することを防止することができる。
【００１５】
前記金属膜又は金属複合膜は、電気抵抗が３７．７×１０６／ｍΩ以上の金属を含む物質であってもよい。前記金属膜は、アルミニウム、金、銀、銅又はニッケルの少なくともいずれかから形成されてもよい。
【００１６】
前記金属複合膜は、金属とセラミックス、又は、金属と樹脂から形成されてもよい。金属にセラミックスを混入させるのは、誘電体板と金属との熱膨張差を緩和するためである。また、金属に樹脂を混入させるのは、誘電体板と金属との熱膨張差を緩和するとともに応力を緩和するためである。
【００１７】
前記金属膜は、前記誘電体板を溶融した前記金属膜の溶液に浸し、１０ｍｍ／ｓｅｃ以下の速度で引き上げる工程を経て形成されてもよい。これにより、金属膜表面の状態を制御することができる。
【００１８】
前記金属膜の所望の厚さは、１０μｍ〜１００ｍｍの範囲に形成されてもよい。
【００１９】
前記誘電体板は、前記処理容器の内側に面した状態で、等間隔に複数設けられていてもよい。
【００２０】
また、上記課題を解決するために、本発明の他の態様によれば、マイクロ波源からマイクロ波を出力し、所望の真空状態にある処理容器の内側に面した誘電体板の少なくとも真空と大気とを遮断する面に金属膜又は金属複合膜を被覆することにより、前記出力されたマイクロ波を前記誘電体板の前記金属膜又は前記金属複合膜内に伝送させ、前記伝送させたマイクロ波を処理容器内に放出させてプラズマを生成し、前記生成されたプラズマを用いて被処理体に所望のプラズマ処理を施すプラズマ処理方法が提供される。
【００２１】
これによれば、金属膜又は金属複合膜により誘電体板のマイクロ波の伝送経路とＯリングとが遮断されるため、安価なＯリングを使用できるとともにガス透過性が改善される。また、誘電体板３０５と蓋体３００との間に隙間が生じないため、設計通りのマイクロ波の伝送が実現でき、エネルギーの供給効率を高めることができる。
【発明の効果】
【００２２】
以上に説明したように、本発明によれば、誘電体板の表面処理によりＯリングを保護することができる。
【発明を実施するための形態】
【００２３】
以下に添付図面を参照しながら、本発明の好適な実施形態について詳細に説明する。なお、以下の説明及び添付図面において、同一の構成及び機能を有する構成要素については、同一符号を付することにより、重複説明を省略する。
【００２４】
（第１実施形態）
まず、本発明の第１実施形態にかかるマイクロ波プラズマ処理装置の構成について、図１を参照しながら説明する。図１は本装置の縦断面図を模式的に示す。
【００２５】
（マイクロ波プラズマ処理装置の全体構成）
マイクロ波プラズマ処理装置１００は、その内部にてガラス基板（以下、「基板Ｇ」という。）をプラズマ処理するための処理容器１０を有している。処理容器１０は、容器本体２００と蓋体３００とから構成される。容器本体２００は、その上部が開口された有底立方体形状を有していて、その開口は蓋体３００により閉塞されている。容器本体２００と蓋体３００との接触面にはＯリング２０５が設けられていて、これにより容器本体２００と蓋体３００とが密閉され、処理室Ｕが形成される。容器本体２００および蓋体３００は、たとえば、アルミニウム等の金属からなり、電気的に接地されている。
【００２６】
処理容器１０の内部には、基板Ｇを載置するためのサセプタ１０５（ステージ）が設けられている。サセプタ１０５は、たとえば窒化アルミニウムからなり、その内部には、給電部１１０およびヒータ１１５が設けられている。
【００２７】
給電部１１０には、整合器１２０（たとえば、コンデンサ）を介して高周波電源１２５が接続される。また、給電部１１０には、コイル１３０を介して高圧直流電源１３５が接続される。高周波電源１２５および高圧直流電源１３５は接地されている。
【００２８】
給電部１１０は、高周波電源１２５から出力された高周波電力により処理容器１０の内部に所定のバイアス電圧を印加するようになっている。また、給電部１１０は、高圧直流電源１３５から出力された直流電圧により基板Ｇを静電吸着するようになっている。
【００２９】
ヒータ１１５には、処理容器１０の外部に設けられた交流電源１４０が接続されていて、交流電源１４０から出力された交流電圧により基板Ｇを所定の温度に保持するようになっている。サセプタ１０５は、支持体１４５に支持されていて、その周囲には処理室Ｕのガスの流れを好ましい状態に制御するためのバッフル板１５０が設けられている。
【００３０】
処理容器１０の底部にはガス排出管１５５が設けられていて、処理容器１０の外部に設けられた真空ポンプ（図示せず）を用いてガス排出管１５５から処理容器１０内のガスが排出されることにより、処理室Ｕは所望の真空度まで減圧される。
【００３１】
蓋体３００には、複数の誘電体板３０５、複数の金属電極３１０および複数の同軸導波管３１５の内部導体３１５ａが設けられている。誘電体板３０５は、アルミナにより形成されている。誘電体板３０５は、略正方形のプレートであり、蓋体３００の内側に面した状態で、等間隔に複数配置されている。
【００３２】
誘電体板３０５を貫通した内部導体３１５ａの先端には、金属電極３１０が基板Ｇ側に露出するように設けられていて、内部導体３１５ａおよび金属電極３１０によって誘電体板３０５を保持するようになっている。金属電極３１０の基板側の面には、誘電体カバー３２０が設けられている。
【００３３】
内部導体３１５ａは、固定機構５００に設けられたバネ部材の弾性力を用いて処理容器１０の外側に向かって吊り上げられている。冷媒供給源７００は、冷媒配管７０５に接続されていて、冷媒供給源７００から供給された冷媒が冷媒配管７０５内を循環して再び冷媒供給源７００に戻ることにより、処理容器１０を所望の温度に保つようになっている。ガス供給源８００は、ガスライン８０５を介して、内部導体３１５ａ内のガス流路から処理室内に導入される。
【００３４】
２台のマイクロ波源９００から出力された、１２０ｋＷのマイクロ波は、分岐導波管９０５、８つの同軸管変換器６０５、８つの同軸導波管６２０、図１の背面方向に平行に位置する８本の分岐同軸管６７０に７本ずつ連結された同軸導波管６００、分岐板６１０および同軸導波管３１５を伝送され、複数の誘電体板３０５を透過して処理室内に供給される。処理室Ｕに放出されたマイクロ波は、ガス供給源８００から供給された処理ガスを励起させ、これにより生成されたプラズマを用いて基板Ｇ上に所望のプラズマ処理が実行される。
【００３５】
（誘電体板の被覆）
つぎに、誘電体板３０５の表面処理について、図２を参照しながら説明する。本実施形態では、誘電体板３０５の上面のうち、誘電体板３０５と蓋体３００との接触面に金属膜３０５ａが被覆されている。換言すれば、誘電体板３０５の表面のうち少なくとも真空と大気とを遮断する面は、金属膜３０５ａにより被覆されている。誘電体板３０５と蓋体３００との接触面には、処理容器内の真空空間を大気下にある外部と遮断するためのＯリング３２５が設けられている。
【００３６】
マイクロ波は、同軸導波管３１５を伝送され、誘電体板３０５の上面中央から内部に伝わる。その際、マイクロ波は、金属膜３０５ａを透過することができない。つまり、誘電体板３０５のマイクロ波の伝送経路とＯリング３２５とは、金属膜３０５ａにて遮断される。その結果、マイクロ波は、Ｏリング３２５に伝藩することなく、金属膜３０５ａ下の誘電体板内部を伝わって処理容器内に放出される。よって、Ｏリング３２５に、エラストマー材質等の低誘電正接の特性を有した高価な材料を使う必要がなくなり、安価なフッ素ゴムのＯリングを使用でき、コスト安となる。
【００３７】
また、上記のようにＯリング３２５をエラストマー材質からフッ素ゴムに変えることにより、ガス、酸素の透過性も改善される。これにより、処理容器内の雰囲気の質を向上させ、処理容器内の真空度を精度良くコントロールすることができる。
【００３８】
また、金属膜３０５ａにより、誘電体板３０５と蓋体３００との間の隙間がなくなる。よって、実プロセスにおいて、設計通りのマイクロ波の伝送を実現することができる。これにより、プラズマ側からのマイクロ波の反射を最小限に抑え、プラズマへのエネルギーの供給効率を高めることができる。
【００３９】
金属膜３０５ａは、蓋体３００（処理容器１０）と同じ材質であるアルミニウムから形成される。同一材質であれば熱膨張差による歪みが生じず、誘電体板３０５と蓋体３００との密着性を高めることができる。ただし、金属膜３０５ａは、これに限られず、たとえば、金、銀、銅又はニッケル等、電気抵抗の小さい金属を含む物質であってもよい。
【００４０】
また、誘電体板３０５に被覆する物質には、アルミ合金または金属シリコン中に各種のセラミックス強化材を複合化した金属複合膜を用いてもよい。金属にセラミックスを混入させるのは、誘電体板と金属との熱膨張差を緩和するためである。また、金属に樹脂を混入させるのは、誘電体板と金属との熱膨張差を緩和するとともに応力を緩和するためである。金属複合膜は、金属とセラミックス、又は、金属と樹脂から形成されていてもよい。
【００４１】
また、金属膜又は金属複合膜は、電気抵抗が３７．７×１０６／ｍΩ以上の金属を含む物質であることが好ましい。アルミニウムの熱膨張係数は、約２３．８×１０−６／℃であり、アルミナの熱膨張係数は、約７．３×１０−６／℃である。よって、たとえば、アルミニウムにより形成された処理容器１０とアルミナにより形成された誘電体板３０５との間をこれらの材質が持つ熱膨張係数の間の熱膨張係数を有する金属膜又は金属複合膜にて被覆することにより、誘電体板３０５と処理容器１０との密着性を高めることができる。これにより、誘電体板３０５とそれに隣接する処理容器１０やその他の部材との間に生じた空隙によってもマイクロ波の伝搬が乱されず、安定してマイクロ波を処理容器内に導くことができる。
【００４２】
誘電体板３０５に金属膜３０５ａを被覆する方法としては、溶融温度が６７５℃程度のアルミニウムの液体に、温度６５０℃で予備加熱されたアルミナの板（誘電体板３０５）を浸し、１０ｍｍ／ｓｅｃ以下の速度で引き上げる。引き上げ速度を制御することにより、金属膜の表面の厚さの均一性を制御することができる。
【００４３】
（金属膜の厚さ）
金属膜３０５ａの厚さは、１０μｍ〜１０ｍｍ程度が好ましい。以下に、その理由を説明する。電流密度は金属膜の表面から深さ方向に減少する。表皮深さδ（ｍ）は、δ＝（２／ωμσ）１／２の式に基づき求められる。ここで、ωは角周波数（Ｈｚ）、μは透磁率（Ｈ／ｍ）、σは電気伝導率（Ｓ／ｍ）である。図３に示した金属膜では、電流密度は、各金属膜とも膜表面から約２μｍ以下で３７％に減少することがわかる。よって、マイクロ波の電流の損失を少なくするためには、金属膜の膜厚は、電流密度が概ね３７％に減少する２μｍの５倍である１０μｍ以上にすればよい。これに加えて、金属膜の表面の粗さや傷などによる膜厚の変動を考慮して、金属膜３０５ａの厚みを１０μｍより大きくすればなおよい。
【００４４】
金属膜の厚さを１０ｍｍ程度まで厚くするには、アルミニウムの液体にアルミナを浸し、引き上げる工程を繰り返せばよい。膜は、一回の工程で０．２ｍｍ〜０．５ｍｍ程度の厚くなる。よって、前記工程を所望の回数だけ繰り返せば、所望の厚みの金属膜で誘電体板３０５を覆い、その後、研削及び研磨することにより、所望の厚み及び表面粗さの金属膜を誘電体板に被膜することができる。
【００４５】
金属膜の表面粗さは、シール面（誘電体板３０５の上面と蓋体３００との間のＯリング３２５に接触している金属膜３０５ａ）の中心線平均粗さＲａを０．４μｍ、その他の面（ここでは、誘電体板３０５の下面に被膜された金属膜３０５ｂ）の中心線平均粗さＲａを３．２μｍ程度にすることが好ましい。
【００４６】
（金属膜の形成）
つぎに、誘電体板３０５に金属膜３０５ａを形成する方法の一例として溶融炉処理について説明する。溶融炉処理では、アルミニウムを溶融させた炉にアルミナから形成された誘電体板を浸す。その後、引き上げスピードを均一に保ちながら誘電体板を引き上げる。引き上げられた誘電体板の表面を削り、マイクロ波の入射および出射部分の表面の金属膜を削り取り、残った金属膜を研磨してその表面をなめらかな状態にする。これにより、誘電体板３０５を金属膜３０５ａにより被覆する。
【００４７】
なお、誘電体板３０５に金属膜３０５ａを形成する他の例としては、溶射、イオンプレーティング、セラミックス・金属・複合材一体化処理等が挙げられる。
【００４８】
以上に説明したように、本実施形態によれば、誘電体板３０５のマイクロ波の伝送経路とＯリング３２５とを金属膜３０５ａにて遮断することにより、Ｏリング３２５を保護するとともに、マイクロ波の伝送路に設計上考慮されない隙間をなくしてマイクロ波の伝送効率を向上させることができる。
【００４９】
（第２実施形態）
第１実施形態では、誘電体板３０５の上面のみに金属膜３０５ａが形成された。これに対して、次に説明する第２実施形態に係る金属膜では、図４に示したように、誘電体板３０５の上面の蓋体３００と誘電体板３０５との接触面に金属膜３０５ａが形成されるとともに、誘電体板３０５の下面にも金属膜３０５ｂが形成される。
【００５０】
このように、誘電体板３０５の表面のうち、マイクロ波を入射及び出射する部分以外を金属膜３０５ａ、３０５ｂにて被覆する。これにより、誘電体板３０５のマイクロ波の伝送経路とＯリング３２５とを金属膜３０５ａにて遮断して、Ｏリング３２５を保護することができるとともに、誘電体板３０５のマイクロ波の伝送経路を画定することができる。
【００５１】
（第３実施形態）
つぎに、金属膜にて被覆された誘電体板３０５を他のマイクロ波プラズマ処理装置に使用する第３実施形態について、図６を参照しながら説明する。
【００５２】
（マイクロ波プラズマ処理装置の全体構成）
第３実施形態に係るマイクロ波プラズマ処理装置９０は、処理容器１０と蓋体２０とを有している。処理容器１０は、その上部が開口された有底立方体形状を有している。処理容器１０と蓋体２０とは、蓋体２０の下面外周部と処理容器１０の上面外周部との間に配設されたＯリング３２により密閉されていて、これにより、プラズマ処理を行う処理室Ｕが形成される。処理容器１０および蓋体２０は、たとえば、アルミニウム等の金属からなり、電気的に接地されている。
【００５３】
処理容器１０には、その内部にてガラス基板（以下「基板」という）Ｇを載置するためのサセプタ１１（載置台）が設けられている。サセプタ１１は、たとえば窒化アルミニウムからなり、その内部には、給電部１１ａおよびヒータ１１ｂが設けられている。
【００５４】
給電部１１ａには、整合器１２ａ（たとえば、コンデンサ）を介して高周波電源１２ｂが接続されている。また、給電部１１ａには、コイル１３ａを介して高圧直流電源１３ｂが接続されている。高周波電源１２ｂおよび高圧直流電源１３ｂは、接地されている。
【００５５】
給電部１１ａは、高周波電源１２ｂから出力された高周波電力により処理容器１０の内部に所定のバイアス電圧を印加するようになっている。また、給電部１１ａは、高圧直流電源１３ｂから出力された直流電圧により基板Ｇを静電吸着するようになっている。
【００５６】
ヒータ１１ｂには、処理容器１０の外部に設けられた交流電源１４が接続されていて、交流電源１４から出力された交流電圧により基板Ｇを所定の温度に保持するようになっている。
【００５７】
処理容器１０の底面は筒状に開口され、その底面周縁にはベローズ１５の一端が装着されている。また、ベローズ１５の他端は昇降プレート１６に固着されている。このようにして、処理容器１０底面の開口部分は、ベローズ１５および昇降プレート１６により密閉されている。
【００５８】
サセプタ１１は、昇降プレート１６上に配置された筒体１７に支持されていて、昇降プレート１６および筒体１７と一体となって昇降する。これにより、サセプタ１１は、処理プロセスに応じた高さに調整されるようになっている。また、サセプタ１１の周囲には、処理室Ｕのガスの流れを好ましい状態に制御するためのバッフル板１８が設けられている。
【００５９】
処理容器１０の底部には、処理容器１０の外部に設けられた真空ポンプ（図示せず）が備えられている。真空ポンプは、ガス排出管１９を介して処理容器１０内からガスを排出することにより、処理室Ｕを所望の真空度まで減圧するようになっている。
【００６０】
蓋体２０には、６本の導波管３３、スロットアンテナ３０、および、複数枚の誘電体板３１が設けられている。６本の導波管３３は、その断面形状が矩形状であり、蓋体２０の内部にて平行に並んで設けられている。その内部は、フッ素樹脂（たとえばテフロン（登録商標））、アルミナ（Ａｌ２Ｏ３）、石英などの誘電部材３４で充填されていて、その誘電部材３４により、λｇ１＝λｃ／（ε１）１／２の式に従って各導波管３３の管内波長λｇ１が制御される。ここで、λｃは自由空間の波長、ε１は誘電部材３４の誘電率である。
【００６１】
各導波管３３は、上部にて開口し、その開口には、可動部３５が昇降自在に挿入されている。可動部３５は、アルミニウムなどの非磁性体である導電性材料から形成されている。蓋体２０の外部であって、各可動部３５の上面には、昇降機構３６がそれぞれ設けられていて、可動部３５を昇降移動させるようになっている。かかる構成により、誘電部材３４の上面を限度として、可動部３５を昇降移動させるにより、導波管３３は、その高さを任意に変えることができる。
【００６２】
スロットアンテナ３０は、蓋体２０の下方にて蓋体２０と一体的に形成されている。スロットアンテナ３０は、アルミニウムなどの非磁性体である金属から形成されている。スロットアンテナ３０には、各導波管３３の下面にてスロット３７（開口）が設けられている。各スロット３７の内部には、フッ素樹脂、アルミナ（Ａｌ２Ｏ３）、石英などの誘電部材が充填されていて、その誘電部材により、λｇ２＝λｃ／（ε２）１／２の式に従って各スロット３７の管内波長λｇ２が制御される。ここで、λｃは自由空間の波長、ε２はスロット３７内部の誘電部材の誘電率である。
【００６３】
誘電体板３１は、処理容器１０の内側に面して等間隔に複数枚配置されている。各誘電体板３１はタイル状に形成されている。スロットアンテナ３０の下面には、各誘電体板３１を支持する梁２６が設けられている。図７に示したように、誘電体板３１と蓋体２０との接触面及び誘電体板３１と梁２６との接触面には、処理容器内の真空空間を大気と遮断するためにＯリング３８が設けられている。
【００６４】
ガスノズル２７、２８は、梁２６からつり下げられた状態で梁２６に固定されている。ガスノズル２７は、キノコ型のねじであって金属により形成されている。ガスノズル２７の内部には、中空のガス通路が設けられている。図６のガス供給源４３から供給されたプラズマ励起ガスは、ガス導入管２９ａを介してガスノズル２７のガス孔Ａから横向きに吹き出される。
【００６５】
ガスノズル２８は、外形が棒状（筒状）のねじであって金属により形成されている。ガスノズル２８の内部には、中空のガス通路が設けられている。ガス供給源４３から供給された処理ガスは、ガス導入管２９ｂを介してガスノズル２８のガス孔Ｂから下向きに吹き出される。
【００６６】
冷却水配管４４には、マイクロ波プラズマ処理装置９０の外部に配置された冷却水供給源４５が接続されていて、冷却水供給源４５から供給された冷却水が冷却水配管４４内を循環して冷却水供給源４５に戻ることにより、蓋体２０は、所望の温度に保たれるようになっている。
【００６７】
これにより、マイクロ波源から出力された、たとえば、２．４５ＧＨｚ×３のマイクロ波により、プラズマ励起ガス及び処理ガスからプラズマが生成され、生成されたプラズマにより基板Ｇに所望の処理が施される。
【００６８】
以上に説明した構成のマイクロ波プラズマ処理装置９０の誘電体板３１においても、図７に示したように、誘電体板３０５の表面のうち、少なくとも真空と大気とを遮断する面が、金属膜３１ａにより被覆されている。これにより、誘電体板３１のマイクロ波の伝送経路とＯリング３８とを金属膜３１ａにて遮断することができる。この結果、Ｏリング３８を保護することができる。また、誘電体板３１と蓋体２０との間や誘電体板３１と梁２６との間に隙間が生じない。このため、設計通りのマイクロ波の伝送が実現でき、プラズマ側からのマイクロ波の反射を最小限に抑え、プラズマへのエネルギーの供給効率を高めることができる。また、マイクロ波が誘電体板３１の近傍の隙間に入り込んで異常放電が発生することを防止することができる。
【００６９】
以上に説明したように、上記各実施形態にかかるマイクロ波プラズマ処理装置によれば、誘電体板の大気と真空とを遮断する面を金属膜にて被覆したことにより、安価なＯリングを使用でき、ガス透過性が改善される。また、隙間のない組立により設計時に計算した通りのプラズマ処理装置の性能が得られ、プラズマへのエネルギーの供給効率を高めることができるとともに異常放電を防止することができる。
【００７０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７１】
たとえば、マイクロ波プラズマ処理装置の誘電体板は、１枚であってもよく複数枚であってもよい。また、本発明にかかるマイクロ波プラズマ処理装置は、ＣＶＤ、エッチング処理、アッシング処理など、プラズマにより被処理体を微細加工する各種プロセスを実行することができる。
【図面の簡単な説明】
【００７２】
【図１】第１、第２実施形態にかかるマイクロ波プラズマ処理装置の縦断面図である。
【図２】第１実施形態にかかる誘電体板近傍を拡大した図である。
【図３】金属の電気伝導率及び表皮深さを示した表である。
【図４】第２実施形態にかかる誘電体板近傍を拡大した図である。
【図５】比較例の誘電体板近傍を拡大した図である。
【図６】第３実施形態にかかるマイクロ波プラズマ処理装置の縦断面図である。
【図７】第３実施形態にかかる誘電体板近傍を拡大した図である。
【符号の説明】
【００７３】
１０                  処理容器
２０，３００          蓋体
３１、３０５          誘電体板
３１ａ、３０５ａ、３０５ｂ  金属膜
３１５                同軸導波管
３８，３２５          Ｏリング
９０，１００          マイクロ波プラズマ処理装置
【図１】
2009301783.tif 000003
【図２】
2009301783.tif 000004
【図３】
2009301783.tif 000005
【図４】
2009301783.tif 000006
【図５】
2009301783.tif 000007
【図６】
2009301783.tif 000008
【図７】
2009301783.tif 000009